(57)【要約】      （修正有）【課題】携帯に適した男性用避妊具携帯容器を提供する。【解決手段】男性用避妊具携帯容器１０は、コンドーム包装体収納部を有する容器本体と蓋体１を有する。また、前記容器本体と前記蓋体１とはヒンジ２により接続されていて、このヒンジ２により前記容器本体と前記蓋体１とを開閉することができる。前記容器本体の一端には吊り部材固定片３が形成されている。前記吊り部材固定片３には吊り部材５を通すための孔が設けられている。この孔に金属製リング４を介して、金属線７を中心に通した複数の金属球６が環状に設置されている。前記金属線７を中心に通した複数の金属球６の両端が、金属管８を押圧変形することにより固定されていて、金属球６、金属線７および金属管８の全体が環状構造を形成している。【選択図】図１
0003150612.tif 000002
【実用新案登録請求の範囲】
【請求項１】
コンドーム包装体収納部を有する容器本体と、前記容器本体の開口部形状に合致して前記開口部を閉口させる形状部分を少なくとも有する蓋体とを備えたことを特徴とする、男性用避妊具用携帯容器。
【請求項２】
コンドーム包装体収納部を有する容器本体と、前記容器本体に対して開閉可能に取り付けられた蓋体とを備えたことを特徴とする、男性用避妊具用携帯容器。
【請求項３】
コンドーム包装体収納部を有する容器本体と、前記容器本体の後部にヒンジを介して開閉可能に取り付けられた蓋体とを備えたことを特徴とする、男性用避妊具用携帯容器。
【請求項４】
コンドーム包装体収納部を有する容器本体と、前記容器本体の後部にヒンジを介して開閉可能に取り付けられた蓋体とを備え、
この容器本体と蓋体とに設けた係合部と係合受部との係合により、蓋体を容器本体に係合閉止可能としたことを特徴とする、男性用避妊具携帯容器。
【請求項５】
環状部を有する吊り部材と、
前記容器本体および前記蓋体の少なくとも一方に、前記吊り部材を通すための孔を有する吊り部材固定片とを備えた、請求項１〜５のいずれかに記載の男性用避妊具携帯容器。
【請求項６】
前記容器本体および前記蓋体を組み合わせた形状が、多角筒状、円筒状、楕円筒状、封筒状および飲料用パック状からなる群より選ばれる少なくとも一つである、請求項１〜５のいずれかに記載の男性用避妊具携帯容器。
【請求項７】
前記容器本体および前記蓋体が、それぞれ金属、合成樹脂、紙および布からなる群より選ばれる少なくとも一つからなる、請求項１〜５のいずれかに記載の男性用避妊具携帯容器。
【考案の詳細な説明】
【技術分野】
【０００１】
本考案は、コンドーム包装体を携帯するための男性用避妊具携帯容器に関する。
【背景技術】
【０００２】
これまで性教育等の性に関する問題を公の場で扱うことは道徳面、情操面等の観点から避けられるのが通常であった。
特に避妊具の携帯を奨励することは、避妊具の携帯自体が性交渉を予定していることから若年層の不必要な性交渉を奨励することにもつながりかねない。このことから一部の場合を除いてこれまで避妊具の携帯について積極的に推奨されてこなかったのが実情である。
【０００３】
この一方、性病や妊娠等に悩む青少年の数は無視できない水準に達しているのも実情である。性の問題に直面した場合でも周囲に相談できる環境が整っていればよいが、実際には各種専門機関への相談が遅れることがあり、適切な時期に適切な手当を受けることができない場合がある。これが原因となって若年層の性病が蔓延していることも社会問題となっている。
さらに感染者本人がＨＩＶ（ヒト免疫不全ウイルス）等に感染していることに全く気が付かず、感染が広がる問題もある。
特にＨＩＶ等の問題は個人により対処できる問題の枠を越えていて、現状を放置すると各種医療機関や厚生関連機関の人員予算等をさらに圧迫する要因にも今後つながりかねない。
この様な観点から、不必要な性交渉を奨励するものではないが、性交渉の際には避妊具を着用する習慣を付けようとする呼びかけがようやく始まってきたところである。
【０００４】
ところで男性用避妊具携帯容器の従来の技術として、カード型のコンドーム容器が提案されている。この容器はカード型であり財布に入れて持ち運ぶことができるとされる（特許文献１）。
しかしながらこの考案は、コンドームを直接財布に入れて保存すると財布にコンドームの形が転写されるため人前で財布が使えなくなるとの問題を解決するためのものであり、男性用避妊具の携帯を隠すことを主目的とするものであった。
【特許文献１】実用新案登録第３１３６２６３号公報
【考案の開示】
【考案が解決しようとする課題】
【０００５】
本考案の目的は、男性用避妊具の携帯を奨励することを目的とするものであり、衣服のポケット、ベルト、衣服のポケット孔、携帯電話ストラップ等に簡単に装着して容易に携帯することができ、日常的に身に付けることができ、コンドームの保護や保存に適した構造の男性用避妊具携帯容器を提供することにある。
【課題を解決するための手段】
【０００６】
上記課題を解決すべく本考案者が鋭意検討した結果、コンドーム包装体収納部を有する容器本体と前記容器本体の開口部形状に合致して前記開口部を閉口させる形状部分を少なくとも有する蓋体とを備えた男性用避妊具携帯容器、中でもコンドーム包装体収納部を有する容器本体と、前記容器本体の後部にヒンジを介して開閉可能に取り付けられた蓋体とを備えた男性用避妊具携帯容器が本考案の目的に適うことを見出し、本考案を完成するに至った。
【０００７】
すなわち本考案は、
［１］コンドーム包装体収納部を有する容器本体と、前記容器本体の開口部形状に合致して前記開口部を閉口させる形状部分を少なくとも有する蓋体とを備えたことを特徴とする、男性用避妊具用携帯容器を提供するものである。
【０００８】
また本考案は、
［２］コンドーム包装体収納部を有する容器本体と、前記容器本体に対して開閉可能に取り付けられた蓋体とを備えたことを特徴とする、男性用避妊具用携帯容器を提供するものである。
【０００９】
また本考案は、
［３］コンドーム包装体収納部を有する容器本体と、前記容器本体の後部にヒンジを介して開閉可能に取り付けられた蓋体とを備えたことを特徴とする、男性用避妊具携帯容器を提供するものである。
【００１０】
また本考案は、
［４］コンドーム包装体収納部を有する容器本体と、前記容器本体の後部にヒンジを介して開閉可能に取り付けられた蓋体とを備え、
この容器本体と蓋体とに設けた係合部と係合受部との係合により、蓋体を容器本体に係合閉止可能としたことを特徴とする、男性用避妊具携帯容器を提供するものである。
【００１１】
また本考案は、
［５］環状部を有する吊り部材と、
前記容器本体および前記蓋体の少なくとも一方に、前記吊り部材を通すための孔を有する吊り部材固定片とを備えた、上記［１］〜［４］のいずれかに記載の男性用避妊具携帯容器を提供するものである。
【００１２】
また本考案は、
［６］前記容器本体および前記蓋体を組み合わせた形状が、多角筒状、円筒状、楕円筒状、封筒状および飲料用パック状からなる群より選ばれる少なくとも一つである、上記［１］〜［５］のいずれかに記載の男性用避妊具携帯容器を提供するものである。
【００１３】
また本考案は、
［７］前記容器本体および前記蓋体が、それぞれ金属、合成樹脂、紙および布からなる群より選ばれる少なくとも一つからなる、上記［１］〜［５］のいずれかに記載の男性用避妊具携帯容器を提供するものである。
【考案の効果】
【００１４】
本考案によれば、市販のコンドーム包装体の１個〜４個、もしくは５個以上のコンドーム包装体を容易に携帯でき、特に２個〜３個のコンドーム包装体を容易に携帯することができる。また前記コンドーム包装体は、男性用避妊具携帯容器の容器本体と蓋体により保護されているため衛生的であり、携帯中に傷やピンホール等の欠陥が生じることがなく、安心して使用することができる。
【００１５】
また本考案の男性用避妊具携帯容器は、衣服のポケット、小物入れ等に入れて容易に携帯して持ち運ぶことができ、日常的に男性用避妊具を携帯する習慣を付けることができる。
【００１６】
さらに本考案の男性用避妊具携帯容器はストラップ、リング、カラビナ等の環状の吊り部材を有することから、携帯電話、衣服のポケット孔、ベルト等に装着し、容易に携帯して持ち運ぶことができ、日常的に男性用避妊具を携帯する習慣を付けることができる。
【考案を実施するための最良の形態】
【００１７】
以下に本考案について実施例に基づき図面を参照しつつ詳細に説明するが、本考案はこれらの実施例により何ら限定されるものではない。
【実施例１】
【００１８】
図１は本考案である第一の実施態様を説明するための正面図である。
本考案の男性用避妊具携帯容器１０は、コンドーム包装体収納部を有する容器本体と蓋体１を有する。
図１では蓋体１の裏側に前記容器本体が配置されている。
【００１９】
前記蓋体１は、縦と横の長さが同じであり周辺部が丸みを帯びた形状となっている。また前記蓋体１は、前記容器本体の開口部形状に合致して前記開口部を閉口させる形状部分を少なくとも有する。これにより前記容器本体と前記蓋体１とは隙間なくはめ合わせることができる構造となっていて、内部にコンドーム包装体を収納することができる。
【００２０】
また、前記容器本体と前記蓋体１とはヒンジ２により接続されていて、このヒンジ２により前記容器本体と前記蓋体１とを開閉することができる。
【００２１】
一方、前記容器本体の一端には吊り部材固定片３が形成されている。前記吊り部材固定片３には吊り部材５を通すための孔が設けられている。この孔に金属製リング４を介して、金属線７を中心に通した複数の金属球６が環状に設置されている。前記金属線７を中心に通した複数の金属球６の両端が、金属管８を押圧変形することにより固定されていて、金属球６、金属線７および金属管８の全体が環状構造を形成している。
【００２２】
第一の実施態様の場合には、前記吊り部材５は、金属製リング４、金属球６、金属線７および金属管８により形成されているが、前記吊り部材５の構成は目的、用途により適宜変更することが可能である。
【００２３】
前記吊り部材５に金属リングや紐等を介して前記金属リングや紐等を携帯電話、携帯電話ストラップ、衣服のポケット孔、ベルト等にさらに通すことにより、容易にコンドーム包装体を携帯することができる。
【００２４】
図２は本考案である第一の実施態様を説明するための側面図である。なお図２における参照符号の意味は図１の場合と同じである。
【００２５】
コンドーム包装体収納部を有する容器本体９も前記蓋体１と同じく、縦と横の長さが同じであり周辺部が丸みを帯びた形状となっている。
【００２６】
なお、前記容器本体９と前記蓋体１との形状は、コンドーム包装体を収納できる形状であれば特に限定はなく、適宜変更した形状のものを使用することができる。
【００２７】
前記容器本体９と前記蓋体１との材質に特に限定はないが、樹脂製、金属製等のものであれば好ましい。
本考案に使用する樹脂としては、例えば、ポリエチレン、ポリプロピレン、ポリエチレンテレフタレート、ポリブチレンテレフタレート、ポリスチレン、シリコーン等の合成樹脂であればさらに好ましい。
また本考案に使用する金属としては、例えば、鉄、アルミニウム、銅、金、銀等の他、真ちゅう等の合金等も好ましく使用することができる。
本考案の第一の実施態様では、前記吊り部材５は金属製であり、それ以外の部分は樹脂製となっている。
【００２８】
図３は本考案である第一の実施態様を説明するためのものであり、容器本体と蓋体とを１８０度開いた状態を上から見下ろした模式図である。なお図３における参照符号の意味は図１および図２の場合と同じである。また説明の便宜上、吊り部材固定片３に連結される吊り部材の記載は省略してある。
【００２９】
図３に示した前記容器本体９と前記蓋体１とはそれぞれ皿状構造を有している。前記容器本体９の皿状構造外周端面には突起状の外周枠１１が形成されている。また前記蓋体１の皿状構造外周端面内側には前記突起状の外周枠１１とはめ合わされるための受容段差１２が形成されている。
【００３０】
また前記容器本体９と前記蓋体１とはヒンジ２により連結されている。前記ヒンジ２は樹脂製であり、中央部分により折り返すことができる。前記ヒンジ２を折り返すことにより、前記容器本体９の皿状構造外周端面に形成された突起状の外周枠１１と前記蓋体１の皿状構造外周端面内側に形成された前記受容段差１２とが略隙間無く互いにはめ合わされることにより、位置ずれを起こすことなく前記容器本体９と前記蓋体１とを開閉することができる。
【００３１】
一方、前記容器本体９の皿状構造外周端面内側には凸形状を有する係合部１４が形成されていて、前記蓋体１の皿状構造外周端面内側には凹形状を有する係合受部１３が形成されている。
【００３２】
前記凸形状を有する係合部１４と前記凹形状を有する係合受部１３が係合することにより、前記容器本体９と前記蓋体１とが係止され、内部にコンドーム包装体を収納することができる。
【００３３】
第一の実施態様の場合には凸形状を有する係合部１４および凹形状を有する係合受部１３を備えた男性用避妊具携帯容器について説明したが、この係合部１４および係合受部１３の変形例として、例えば、粘着テープ等を使用したり、突起部にゴム等の弾性帯を掛けたりすること等によって前記容器本体９と前記蓋体１とを閉じた状態に維持すること等も可能である。
【００３４】
また前記容器本体９の一端には、図１により説明した吊り部材固定片３が形成されている。前記吊り部材固定片３には吊り部材を通すための孔が設けられていて、前記吊り部材固定片３に吊り部材を設置することができる（図１参照）。
【００３５】
図４は男性用避妊具であるコンドーム包装体を示した模式斜視図である。
前記コンドーム包装体１００は公知であり、その品質規格はＪＩＳ等により定められている。
図４に示したコンドーム包装体１００は、樹脂コートアルミニウム箔等によりコンドームが包装されているものである。
前記コンドームには、各種香料、味覚料等を施したものを使用することができる。
図１〜３により示した本考案の第一の実施態様により、このコンドーム包装体１００を容易に携帯することができる。以下の場合も同様である。
【実施例２】
【００３６】
次に本考案の変形例である第二の実施態様について説明する。
図５は、本考案である第二の実施態様を説明するための正面図である。
本考案の男性用避妊具携帯容器２０は、第一の実施態様の場合と同様にコンドーム包装体収納部を有する容器本体と蓋体１を有する。
【００３７】
図５では蓋体１の裏側に前記容器本体が位置する。
前記蓋体１は、縦と横の長さが同じであり、四つの角に位置する外周部が曲線形状となっている。前記容器本体と前記蓋体１とは隙間なくはめ合わせることができる構造となっていて、内部にコンドーム包装体を収納することができる。
【００３８】
また、前記容器本体と前記蓋体１とはヒンジ２００により接続されていて、このヒンジ２００により前記容器本体と前記蓋体１とを開閉することができる。
このヒンジ２００は、吊り部材固定片としての機能を兼ねている。
【００３９】
前記蓋体１の上端にＴ字状のヒンジ用開閉軸２２が形成されている。このヒンジ用開閉軸２２は吊り部材５００を通すための孔２３が設けられている。
【００４０】
一方、ヒンジ用開閉軸受入孔を備えた受部２１が前記ヒンジ用開閉軸２２の軸を両端から固定していて、前記ヒンジ用開閉軸２２を中心に前記蓋体１が前記容器本体に対して開閉可能に接続されている。
【００４１】
また前記ヒンジ用開閉軸２２に設けられた孔２３に金属製リング２４を介して、Ｕ字状支持部２５と円盤状本体２６とを備える下側回転具ならびにＵ字状支持部２７と円盤状本体２８とを備える上側回転具が接続されている。
【００４２】
前記下側回転具には前記円盤状本体２６の中心に中心軸が設けられていて、この中心軸が前記上側回転具の前記円盤状本体２８の中心孔を貫いていて、それぞれ前記下側回転具と上側回転具が独立して回転可能な状態で接続されている。
【００４３】
前記上側回転具のＵ字状支持部２７に金属製リング２９を介して吊り掛け部３０と閉鎖片３１に接続されている。
前記閉鎖片３１はバネ・金属片等を利用して吊り掛け部３０に開閉可能に押しつけられている。
【００４４】
この閉鎖片３１を用いることにより、金属リングや紐等を介して前記金属リングや紐等を携帯電話、携帯電話ストラップ、衣服のポケット孔、ベルト等にさらに通すこと等により、容易にコンドーム包装体を携帯することができる。
【００４５】
図６は本考案である第二の実施態様を説明するための側面図である。なお図６における参照符号の意味は図５の場合と同じである。
コンドーム包装体収納部を有する容器本体９も前記蓋体１と同じく、縦と横の長さが同じであり四つの角に位置する外周部が曲線形状となっている。
【００４６】
なお、前記容器本体９と前記蓋体１との形状は、コンドーム包装体を収納できる形状であれば特に限定はなく、適宜変更した形状のものを使用することができる。
前記容器本体９と前記蓋体１の素材は第一の実施態様の場合と同様である。
【００４７】
図７は本考案である第二の実施態様を説明するための模式斜視図である。なお図７における参照符号の意味は図５および図６の場合と同じである。また説明の便宜上、吊り部材固定片２００に連結される吊り部材の記載は省略してある。
【００４８】
図７に示した前記容器本体９と前記蓋体１とはそれぞれ皿状構造を有している。前記容器本体９の皿状構造外周端面には突起状の外周枠１１が形成されている。また前記蓋体１の皿状構造外周端面内側には前記突起状の外周枠１１とはめ合わされるための受容段差１２が形成されている。
【００４９】
また前記容器本体９と前記蓋体１とはヒンジ２００により連結されている。前記蓋体１の上端にＴ字状のヒンジ用開閉軸２２が形成されている。このヒンジ用開閉軸２２には吊り部材５００を通すための孔２３が設けられている。
【００５０】
一方、ヒンジ用開閉軸受入孔を備えた受部２１が前記ヒンジ用開閉軸２２の軸を両端から固定していて、前記ヒンジ用開閉軸２２を中心に前記蓋体１が前記容器本体に対して開閉可能に可動するように接続されている。
【００５１】
前記容器本体９の皿状構造外周端面に形成された突起状の外周枠１１と前記蓋体１の皿状構造外周端面内側に形成された前記受容段差１２とが略隙間無く互いにはめ合わされることにより、位置ずれを起こすことなく前記容器本体９と前記蓋体１とを開閉することができる。
【００５２】
一方、前記容器本体９の皿状構造外周端面外側には半球状の係合部３３が形成されていて、前記蓋体１の皿状構造外周の一端に突出する係合受部３２が形成されている。
【００５３】
前記半球状の係合部３３と受入孔を有する係合受部３２が係合することにより、前記容器本体９と前記蓋体１とが係止され、内部にコンドーム包装体を収納することができる。
また前記ヒンジ用開閉軸２２は吊り部材５００を通すための孔２３が設けられていることから、前記吊り部材固定片に吊り部材５００を設置することができる（図５参照）。
【実施例３】
【００５４】
次に本考案の変形例である第三の実施態様について説明する。
図８は、本考案である第三の実施態様を説明するための正面図である。
【００５５】
この第三の実施態様は、先の第二の実施態様のヒンジ並びに係合部３３および係合受部３２が、容器本体９および蓋体１の四つの角のうち、対角線上の二つの角に設置されている他は先の第二の実施態様の場合と同様である。
【００５６】
図９は本考案である第三の実施態様を説明するための側面図である。なお図９における参照符号の意味は図８の場合と同じである。
【００５７】
コンドーム包装体収納部を有する容器本体９も前記蓋体１と同じく、縦と横の長さが同じであり四つの角に位置する外周部が曲線形状となっている。
【００５８】
図１０は  本考案である第三の実施態様を説明するための模式斜視図である。なお図１０における参照符号の意味は図８および図９の場合と同じである。また説明の便宜上、吊り部材固定片２００に連結される吊り部材の記載は省略してある。
【００５９】
ヒンジ並びに係合部３３および係合受部３２の位置を先の第二の実施態様の場合と同様、容器本体９および蓋体１の四つの角のうち、対角線上の二つの角に設置した場合でも記容器本体９の皿状構造外周端面に形成された突起状の外周枠１１と前記蓋体１の皿状構造外周端面内側に形成された前記受容段差１２とが略隙間無く互いにはめ合わされることにより、位置ずれを起こすことなく前記容器本体９と前記蓋体１とを開閉することができる。
【００６０】
また前記半球状の係合部３３と受入孔を有する係合受部３２が係合することにより、前記容器本体９と前記蓋体１とが係止され、内部にコンドーム包装体を収納することができる点や、前記ヒンジ用開閉軸２２は吊り部材５００を通すための孔２３が設けられていることから、前記吊り部材固定片に吊り部材５００を設置することができる点も先の第二の実施態様の場合と同様である。
【実施例４】
【００６１】
次に本考案である第四の実施態様について説明する。
図１１は、本考案である第四の実施態様を説明するための斜視図である。
この第四の実施態様である男性用避妊具携帯容器３００は、コンドーム包装体収納部を有する容器本体４００と蓋体６００とを有する。
前記容器本体４００および蓋体６００は鉄、アルミ、ブリキ等の金属により成形されていて、全体が円筒形状となっている。前記容器本体４０１および蓋体６０１とを互いに反対方向にスライドさせることにより男性用避妊具携帯容器３００を開くことができる。これにより男性用避妊具携帯容器３００の内部にコンドーム包装体を収納することができる。
【実施例５】
【００６２】
次に本考案である第五の実施態様について説明する。
図１２は、本考案である第五の実施態様を説明するための斜視図である。
この第五の実施態様である男性用避妊具携帯容器３０１は、コンドーム包装体収納部を有する容器本体４０１と蓋体６０１とを有する。
前記容器本体４０１および蓋体６０１とはポリエチレン、ポリプロピレン等の合成樹脂により一体成形されていて、前記容器本体４０１および蓋体６０１との接する一辺が合成樹により接続されている。この接続部分がヒンジとして機能するため、前記容器本体４０１および蓋体６０１とを互いに開閉することができる。これにより男性用避妊具携帯容器３０１の内部にコンドーム包装体を収納することができる。
また実施例１により説明した場合と同様の凸形状を有する係合部および凹形状を有する係合受部を、それぞれ前記蓋体６０１および容器本体４０１に設けることにより、前記容器本体４０１と蓋体６０１とを係止することもできる。
【実施例６】
【００６３】
次に本考案である第六の実施態様について説明する。
図１３は、本考案である第六の実施態様を説明するための斜視図である。
この第六の実施態様である男性用避妊具携帯容器３０２は、コンドーム包装体収納部を有する容器本体４０２と蓋体６０２とを有する。
【００６４】
前記容器本体４０２および蓋体６０２とは鉄、アルミ、ブリキ等の金属により成形されている。前記容器本体４０２の一側面が内側から外側へ向かって押し出されヒンジ用開閉軸受入孔を備えた受部７０１を形成している。この受部７０１には互いに対向する開口部が形成されていて、前記開口部がヒンジ用開閉軸７００の受入孔となっている。
【００６５】
前記蓋体６０２は前記ヒンジ用開閉軸７００に固定されていて、前記ヒンジ用開閉軸７００の回転に合わせて前記容器本体４０２および蓋体６０２とを互いに開閉することができる。これにより男性用避妊具携帯容器３０２の内部にコンドーム包装体を収納することができる。
【００６６】
また実施例１により説明した場合と同様の凸形状を有する係合部および凹形状を有する係合受部を、それぞれ前記蓋体６０２および容器本体４０２に設けることにより、前記容器本体４０２と蓋体６０２とを係止することもできる。
【００６７】
また前記容器本体４０２の異なる一側面が内側から外側へ向かって押し出され、吊り部材固定片３を形成している。この吊り部材固定片３を用いて、実施例１の場合と全く同様に吊り部材５を設けることができる。
【実施例７】
【００６８】
次に本考案である第七の実施態様について説明する。
図１４および図１５は、本考案である第七の実施態様を説明するための斜視図である。
この第七の実施態様である男性用避妊具携帯容器３０３は、コンドーム包装体収納部を有する容器本体４０３と蓋体６０３とを有する。
【００６９】
前記容器本体４０３および蓋体６０３とは鉄、アルミ、ブリキ等の金属により成形されている。
前記蓋体６０３の内側に形成されたガイドレール７０３を、容器本体４０３の外縁部７０２に対してスライドさせることにより、前記容器本体４０３および蓋体６０３とを互いに開閉することができる。これにより男性用避妊具携帯容器３０３の内部にコンドーム包装体を収納することができる。
【実施例８】
【００７０】
次に本考案である第八の実施態様について説明する。
図１６は、本考案である第八の実施態様を説明するための斜視図である。
この第八の実施態様である男性用避妊具携帯容器３０４は、コンドーム包装体収納部を有する容器本体４０４と蓋体６０４とを有する。
【００７１】
前記容器本体４０４および蓋体６０４とはアクリル樹脂等の合成樹脂により成形されていて、ヒンジ７０４により容器本体４０４と蓋体６０４とを互いに開閉することができる。
また前記蓋体６０２に凸形状を有する係合部７０５が形成されていて、前記容器本体４０２に凹形状を有する係合受部７０６が形成されている。これにより前記容器本体４０２と蓋体６０２とを係合することが可能である。
前記凸形状を有する係合部７０５と前記凹形状を有する係合受部７０６が係合することにより、前記容器本体４０４と蓋体６０４とが係止され、内部にコンドーム包装体を収納することができる。
【実施例９】
【００７２】
次に本考案である第九の実施態様について説明する。
図１７および図１８は、本考案である第九の実施態様を説明するための斜視図である。
この第九の実施態様である男性用避妊具携帯容器３０５は、コンドーム包装体収納部を有する容器本体４０５と円筒状の蓋体６０５とを有する。
前記容器本体４０５および円筒状の蓋体６０５とはアクリル樹脂等の合成樹脂により成形されている。
【００７３】
図１８に示した様に、円筒状の蓋体６０５を持ち上げることにより、前記容器本体４０５から円筒状の蓋体６０５を分離することができる。
前記容器本体４０５と円筒状の蓋体６０５との間にコンドーム８００を収納することができる。
【００７４】
また前記容器本体４０５と前記円筒状の蓋体６０５との双方に１枚の樹脂シールを貼付しておき、前記容器本体４０５から円筒状の蓋体６０５を分離したときに、分離したことを示す文字が前記樹脂シールに浮き出るようにすることもできる。これによりコンドーム８００が使用済かどうかについて一目で判別することができ、衛生的にコンドーム８００を使用することが可能である。
【００７５】
本男性用避妊具携帯容器３０５は金属リング７０７を有していて、アクセサリーとしてかばんや小物入れ、ベルト等を利用して携帯することができる。
【実施例１０】
【００７６】
次に本考案である第十の実施態様について説明する。
図１９および図２０は、本考案である第十の実施態様を説明するための斜視図である。
この第十の実施態様である男性用避妊具携帯容器３０６は、コンドーム包装体収納部を有する容器本体４０６と蓋体６０６とを有する。
【００７７】
前記容器本体４０６および蓋体６０６とは鉄、アルミ、ブリキ等の金属により成形されていて、ヒンジ７０８により容器本体４０６と蓋体６０６とを互いに開閉することができる。
【００７８】
また前記蓋体６０６には、開閉片７０９と係止片７１０が形成されていて、前記係止片７１０が前記容器本体４０６の開口部内側に係合することにより、前記蓋体６０６を前記容器本体４０６に対して係止することができる。これにより内部にコンドーム包装体を収納することができる。
本男性用避妊具携帯容器３０６は実施例２の場合と同様、吊り部材５００を有しているため携帯性に優れる。
【実施例１１】
【００７９】
次に本考案である第十一の実施態様について説明する。
図２１および図２２は、本考案である第十一の実施態様を説明するための斜視図である。
【００８０】
この第十一の実施態様である男性用避妊具携帯容器３０７は、コンドーム包装体収納部を有する容器本体４０７と蓋体６０７とを有する。
前記容器本体４０７および蓋体６０７とは鉄、アルミ、チタン等の金属により鋳造成形されていて、ヒンジ７１１により容器本体４０７と蓋体６０７とを互いに開閉することができる。
【００８１】
また前記蓋体６０７には、係合突起７１２と係合受部７１３が形成されていて、前記係合突起７１２が前記容器本体４０６の係合受部７１３に係合することにより、前記蓋体６０７を前記容器本体４０７に対して係止することができる。これにより内部にコンドーム包装体を収納することができる。
【００８２】
また本男性用避妊具携帯容器３０７を開くときには、係合受部７１３に連動した突起７１４を押すことにより、前記係合突起７１２と前記係合受部７１３との係止状態が解除される。これにより前記蓋体６０７を開くことができる。
【００８３】
前記容器本体４０７には吊り部材固定片７１５が形成されていて、この吊り部材固定片７１５に皮革製ベルト７１６を通したあとに、留め具７１７により皮革製ベルト７１６が固定されている。これにより、本男性用避妊具携帯容器３０７に皮革製吊り部材を設けることができ、携帯性に優れる。
【実施例１２】
【００８４】
次に本考案である第十二の実施態様について説明する。
図２３および図２４は、それぞれ本考案である第十二の実施態様を説明するための正面図と斜視図である。
【００８５】
この第十二の実施態様である男性用避妊具携帯容器３０８は、コンドーム包装体収納部を有する容器本体４０８と蓋体６０８とを有する。
前記容器本体４０８および蓋体６０８とは鉄、アルミ、ブリキ等の金属により成形されていて、布に設置されたファスナー７１９により前記容器本体４０８と前記蓋体６０８とが互いに係止されている。
【００８６】
このファスナー７１９は互いに係合しあう係合片７２２，７２３により形成されていて、ファスナー開閉部材７２０，７２１により前記係合片７２２，７２３を互いに係合させたり、係合状態を解除したりすることができる。これにより前記容器本体４０７と蓋体６０７とを布製ヒンジ７１８により互いに開閉することが可能になり、内部にコンドーム包装体を収納することができる。
本男性用避妊具携帯容器３０８は、実施例２の場合と同様、吊り部材５００を有しているため携帯性に優れる。
【実施例１３】
【００８７】
次に本考案である第十三の実施態様について説明する。
図２５は、本考案である第十三の実施態様を説明するための平面図である。
この第十三の実施態様である男性用避妊具携帯容器３０９は、コンドーム包装体収納部を有する容器本体４０９と蓋体６０９とを有していて、全体として封筒状の形状を有する。
【００８８】
前記容器本体４０９および蓋体６０９とは塩化ビニル等の合成樹脂により形成されていて、容器本体４０９と蓋体６０９とにそれぞれ設置された係合片７２４および係合受部（図示せず）とにより開閉自在に係合することができる。
これにより内部にコンドーム包装体を収納することができる。
【実施例１４】
【００８９】
次に本考案である第十四の実施態様について説明する。
図２６は、本考案である第十四の実施態様を説明するための正面図である。
この第十四の実施態様である男性用避妊具携帯容器３１０は、コンドーム包装体収納部を有する容器本体４１０と蓋体６１０とを有していて、全体として封筒状の形状を有する。
【００９０】
前記容器本体４１０および蓋体６１０とは、実施例１３の場合と同様、塩化ビニル等の合成樹脂により形成されていて、容器本体４１０と蓋体６１０とにそれぞれ設置された係合片７２５および係合受部（図示せず）とにより開閉自在に係合することができる。
【００９１】
本男性用避妊具携帯容器３１０には紙で包装されたコンドーム包装体８１０が収納されている。この紙にはお守り等の図案やキャラクター図案等を印刷することができる。
また前記蓋体６１０には円形の孔に金属リング７２６がはめ込まれていて、この金属リング７２６を繊維製のひも７２８が通っている。前記ひも７２８により形成される環の大きさは合成樹脂球７２７を上下することにより調節することができる。
【実施例１５】
【００９２】
次に本考案である第十五の実施態様について説明する。
図２７および図２８は、本考案である第十五の実施態様を説明するための斜視図である。
この第十五の実施態様である男性用避妊具携帯容器３１１は、コンドーム包装体収納部を有する容器本体４１１と蓋体６１１とを有していて、全体として円筒状の形状を有する。
【００９３】
前記容器本体４１１の長手方向に沿って前記蓋体６１１をスライドさせることにより、前記容器本体４１１と前記蓋体６１１とを互いに開閉させることができる。
これにより本男性用避妊具携帯容器３１１の内部にコンドーム包装体を丸めて収納することができる。
【実施例１６】
【００９４】
次に本考案である第十六の実施態様について説明する。
図２９および図３０は、それぞれ本考案である第十六の実施態様を説明するための展開図と斜視図である。
【００９５】
この第十六の実施態様である男性用避妊具携帯容器３１２は、コンドーム包装体収納部を有する容器本体４１２と蓋体６１２とを有していて、全体として封筒状の形状を有する紙からなるものである。
【００９６】
本体部分７２９，７３０を内側に折り返してコンドーム包装袋を置く。次に本体部分７３１と蓋体６１２とを内側に折り返し、突起部分７３２を本体の孔７３３に挿入する。
これにより、図３０に示される男性用避妊具携帯容器３１２を得ることができる。
【実施例１７】
【００９７】
次に本考案である第十七の実施態様について説明する。
図３１は、本考案である第十七の実施態様を説明するための斜視図である。
この第十七の実施態様である男性用避妊具携帯容器３１３は、コンドーム包装体収納部を有する容器本体４１３と蓋体６１３とを有していて、全体として飲料パックの形状を有する紙からなるものである。
【００９８】
内部にコンドーム包装袋を入れてから密封することにより、図３１に示される男性用避妊具携帯容器３１３を得ることができる。
【００９９】
本考案の男性用避妊具携帯容器は携帯に適していることから日常的に身に付けることが容易であり、男性用避妊具を使用しないことによる弊害を軽減させることができる。
【０１００】
また本考案の男性用避妊具携帯容器の容器本体や蓋体にキャラクター画像等を掲載したシール等を貼付する等の構造によりファッション性に優れた形状とすることが可能であり、特に若年層に対する男性用避妊具の携帯促進に資することができる。
【図面の簡単な説明】
【０１０１】
【図１】本考案である第一の実施態様を説明するための正面図である。
【図２】本考案である第一の実施態様を説明するための側面図である。
【図３】本考案である第一の実施態様を説明するための模式図である。
【図４】男性用避妊具であるコンドーム包装体を示した模式斜視図である。
【図５】本考案である第二の実施態様を説明するための正面図である。
【図６】本考案である第二の実施態様を説明するための側面図である。
【図７】本考案である第二の実施態様を説明するための模式斜視図である。
【図８】本考案である第三の実施態様を説明するための正面図である。
【図９】本考案である第三の実施態様を説明するための側面図である。
【図１０】本考案である第三の実施態様を説明するための模式斜視図である。
【図１１】本考案である第四の実施態様を説明するための斜視図である。
【図１２】本考案である第五の実施態様を説明するための斜視図である。
【図１３】本考案である第六の実施態様を説明するための斜視図である
【図１４】本考案である第七の実施態様を説明するための斜視図である。
【図１５】本考案である第七の実施態様を説明するための斜視図である。
【図１６】本考案である第八の実施態様を説明するための斜視図である。
【図１７】本考案である第九の実施態様を説明するための斜視図である。
【図１８】本考案である第九の実施態様を説明するための斜視図である。
【図１９】本考案である第十の実施態様を説明するための斜視図である。
【図２０】本考案である第十の実施態様を説明するための斜視図である。
【図２１】本考案である第十一の実施態様を説明するための斜視図である。
【図２２】本考案である第十一の実施態様を説明するための斜視図である。
【図２３】本考案である第十二の実施態様を説明するための正面図である。
【図２４】本考案である第十二の実施態様を説明するための斜視図である。
【図２５】本考案である第十三の実施態様を説明するための平面図である。
【図２６】本考案である第十四の実施態様を説明するための正面図である。
【図２７】本考案である第十五の実施態様を説明するための斜視図である。
【図２８】本考案である第十五の実施態様を説明するための斜視図である。
【図２９】本考案である第十六の実施態様を説明するための展開図である。
【図３０】本考案である第十六の実施態様を説明するための斜視図である。
【図３１】本考案である第十七の実施態様を説明するための斜視図である。
【符号の説明】
【０１０２】
１、６００〜４１３    蓋体
２、２００、７０４、７０８、７１１    ヒンジ
３、７１５    吊り部材固定片
４、２４、７０７、７２６    金属製リング
５、５００    吊り部材
６    金属球
７    金属線
８    金属管
９、４００〜４１３    容器本体
１０、２０、４０  男性用避妊具携帯容器
１１    突起状の外周枠
１２    受容段差
１３、３２、７０６、７１３    係合受部
１４、３３、７０５    係合部
２１    ヒンジ用開閉軸受入孔を備えた受部
２２、７００    ヒンジ用開閉軸
２３    孔
２５、２７    Ｕ字状支持部
２６、２８    円盤状本体
１００    コンドーム包装体
３００    男性用避妊具携帯容器
７０１    受部
７０２    外縁部
７０３    ガイドレール
７０９    開閉片
７１０    係止片
７１２    係合突起
７１４    突起
７１６    皮革製ベルト
７１７    留め具
７１８    布製ヒンジ
７１９    ファスナー
７２０，７２１    ファスナー開閉部材
７２２〜７２５    係合片
７２８    ひも
７２９〜７３１    本体部分
７３２    突起部分
７３３    孔
８００    コンドーム
８１０    包装紙
【図１】
0003150612.tif 000003
【図２】
0003150612.tif 000004
【図３】
0003150612.tif 000005
【図４】
0003150612.tif 000006
【図５】
0003150612.tif 000007
【図６】
0003150612.tif 000008
【図７】
0003150612.tif 000009
【図８】
0003150612.tif 000010
【図９】
0003150612.tif 000011
【図１０】
0003150612.tif 000012
【図１１】
0003150612.tif 000013
【図１２】
0003150612.tif 000014
【図１３】
0003150612.tif 000015
【図１４】
0003150612.tif 000016
【図１５】
0003150612.tif 000017
【図１６】
0003150612.tif 000018
【図１７】
0003150612.tif 000019
【図１８】
0003150612.tif 000020
【図１９】
0003150612.tif 000021
【図２０】
0003150612.tif 000022
【図２１】
0003150612.tif 000023
【図２２】
0003150612.tif 000024
【図２３】
0003150612.tif 000025
【図２４】
0003150612.tif 000026
【図２５】
0003150612.tif 000027
【図２６】
0003150612.tif 000028
【図２７】
0003150612.tif 000029
【図２８】
0003150612.tif 000030
【図２９】
0003150612.tif 000031
【図３０】
0003150612.tif 000032
【図３１】
0003150612.tif 000033
【手続補正書】
【提出日】平成21年2月24日(2009.2.24)
【手続補正１】
【補正対象書類名】実用新案登録請求の範囲
【補正対象項目名】請求項５
【補正方法】変更
【補正の内容】
【請求項５】
環状部を有する吊り部材と、
前記容器本体および前記蓋体の少なくとも一方に、前記吊り部材を通すための孔を有する吊り部材固定片とを備えた、請求項１〜４のいずれかに記載の男性用避妊具携帯容器。